(57)【要約】【課題】携帯時は薄型で、撮影時は良好な撮影姿勢が得られる小型の画像記憶装置付カメラを提供する。【解決手段】レンズブロック２ａとＣＣＤカメラ２ｂを直線状に配列したカメラ部２と、カメラ部２の下部にカメラ部２の光軸と平行に配置したバッテリー部３と、その広い面を左右方向に向く姿勢で、カメラ部２とバッテリー部３の後方に配置されるメイン基板９と、メイン基板９の一方の広い面に、メイン基板９と並設されるデッキ部５と、メイン基板９の他方の広い面に、メイン基板９と並設される液晶モニタ部６とを備え、カメラ部２とバッテリー部３とメイン基板９とデッキ部５を１つの筐体内に収め、液晶モニタ６をカメラ部側に設けた開閉ヒンジ部を介して前記筐体に折りたたみ可能に設けるようにする。【選択図】図１
2006101053.tif 000002
【特許請求の範囲】
【請求項１】
複数のレンズからなるレンズブロックとカメラ素子を直線状に配列したカメラ部と、
前記カメラ部の下部にその長手方向を前記カメラ部の光軸と平行に配置したバッテリー部と、
その広い面を左右方向に向く姿勢で、前記カメラ部と前記バッテリー部の後方に配置されるメイン基板と、
前記メイン基板の一方の広い面に、該メイン基板と並設されるデッキ部と、
前記メイン基板の他方の広い面に、該メイン基板と並設される液晶モニタ部とを備え、
前記カメラ部とバッテリー部とメイン基板とデッキ部を１つの筐体内に収め、
前記液晶モニタを前記カメラ部側に設けた開閉ヒンジ部を介して前記筐体に折りたたみ可能に設けている
ことを特徴とする画像記憶装置付カメラ。
【請求項２】
請求項１記載の画像記憶装置付カメラにおいて、
前記カメラ部とバッテリー部との間にマイク部と外部接続端子を備えた
ことを特徴とする画像記憶装置付カメラ。
【請求項３】
請求項１記載の画像記憶装置付カメラにおいて、
前記筐体の背面部に画像記録スイッチを設け、前記筐体の上面後方に静止画記録スイッチを配置した
ことを特徴とする画像記憶装置付カメラ。
【発明の詳細な説明】
【技術分野】
【０００１】
本発明は、画像の記録装置を備えたカメラに関するものであり、特に、偏平な外観を持つ携帯性に優れた画像記憶装置付カメラに関するものである。
【背景技術】
【０００２】
従来より、カメラと、このカメラで撮影した画像を記録装置（ＶＴＲ）などで記録する記憶装置付カメラが広く普及している。これらのカメラは、携帯性が重視されている。例えば、従来例においては、薄型のＶＴＲデッキ部の辺部分にカメラ部とビューフアインダ部を配置したものが開示されている。この従来例によれば、厚みのあるデッキ部の厚さに合わせて装置全体を薄型とすることができる。
【０００３】
一方、ＤＶＤ等の円板を記録媒体とする画像記憶装置付カメラも普及している。これらの従来例は、カメラ部とビューファインダの片側にデッキ部を配置し、他の片側にメイン基板と折りたたみ可能な液晶モニタを重ねて配置する厚みのある構造を備えている。
【０００４】
【特許文献１】特開２００１−１１１８７７公報
【発明の開示】
【発明が解決しようとする課題】
【０００５】
近年、記憶技術が向上し、従来例のようにＶＴＲなどの大型の記録媒体に記憶しなくとも、ＤＶＤなどの薄型の円盤に画像を記録することができる。また、このＤＶＤは直径が小さいものが普及しており、このＤＶＤに記録を行うデッキ部全体が小さく薄くなっている。
【０００６】
前記従来例は、カメラ光軸に対して、本体の前後の長さ（カメラ光軸方向の長さ）が短くなるものの、カメラ部の全体またはその一部をデッキ部と重ねた構造としているために装置全体の厚みが厚くなり、アタッシュケースなどの薄いケースに収納し難いという課題がある。
【０００７】
一方、画像記憶装置付カメラは、単に携帯性がよいだけではなく、長時間の撮影に適した保持性のよい外観形状が必要である。
また、近年の画像記憶装置付カメラでは液晶モニタが普及しており、この液晶モニタとの組みあわせを考慮しなければならない。
そこで、この発明の目的とするころは、携帯時は薄型で、撮影時は良好な撮影姿勢が得られる小型の画像記憶装置付カメラを提供することにある。
【課題を解決するための手段】
【０００８】
本発明に係る画像記憶装置付カメラは、前記目的を達成するために、複数のレンズからなるレンズブロックとカメラ素子を直線状に配列したカメラ部と、前記カメラ部の下部にその長手方向を前記カメラ部の光軸と平行に配置したバッテリー部と、その広い面を左右方向に向く姿勢で、前記カメラ部と前記バッテリー部の後方に配置されるメイン基板と、前記メイン基板の一方の広い面に、該メイン基板と並設されるデッキ部と、前記メイン基板の他方の広い面に、該メイン基板と並設される液晶モニタ部とを備え、前記カメラ部とバッテリー部とメイン基板とデッキ部を１つの筐体内に収め、前記液晶モニタを前記カメラ部側に設けた開閉ヒンジ部を介して前記筐体に折りたたみ可能に設けるようにする。
【発明の効果】
【０００９】
本発明によれば、携帯時はコンパクトで、撮影時は良好な撮影姿勢が得られる小型の画像記憶装置付カメラを提供することができる。
【発明を実施するための最良の形態】
【００１０】
以下、図１から図５を参照して、この発明に係る画像記憶装置付カメラを具体的に説明する。なお、同一の部位や方向などは同一符号を持って示し、重複した説明を省略する。
先ず、図１を参照して、この実施の形態に係る画像記憶装置付カメラの概略構造を説明する。図１は、画像記憶装置付カメラの部品配置図である。
【００１１】
図１において、符号１で総括的に示すのはＤＶＤなどの円板に画像を記憶する画像記憶装置付カメラであり、カメラ部２やバッテリー部３などを備えた本体前部４の厚さＤ１を、デッキ部５と液晶表示装置６などを備えた本体後部７の厚さＤ２に合わせた薄型で扁平な構造に特徴を備えている。
【００１２】
この実施の形態では、この画像記憶装置付カメラ１の筐体８を本体後部７と本体前部４とで構成する。ここで本体前部４と本体後部７は明確に分離できるものではなく、当該部分を構成する装置の配置が、外観構造の厚みに大きく影響することから、本実施の形態の特徴を説明しやすくするために定義している。
前記本体後部７は、板状のメイン基板９をその広い面９ａ、９ｂが両側となる姿勢で配置し、一方の広い面９ａ側にデッキ部５を配置し、対向する広い面９ｂ側に液晶表示装置６を配置している。
【００１３】
前記デッキ部５はＤＶＤなどの薄形の記録媒体に記録または再生するものを採用している。この実施の形態では、前記メイン基板９の片側にデッキ部５を隣接して配置するので、デッキ部５とメイン基板９の配線を短くすることができる。また、この実施の形態では、デッキ部５を本体後部７の片側に設けているので、このデッキ部５を覆う筐体面を開閉蓋１７（図３参照）とすることができるので、このデッキ部５に記録媒体を出し入れする構造が容易となる。
【００１４】
一方、液晶表示装置６は、ヒンジ機構１０を介して筐体８に開閉可能に取り付けられている。この液晶表示装置６は、メイン基板９の他方の広い面９ｂに配置されるため、収納時には前記メイン基板９と並設するようにコンパクトに折りたたまれて収納することができ、使用時には、前記液晶表示装置６を介して大きく開放することができる。そして、この液晶表示装置６は折りたたむことで、表示画面や操作スイッチ類を自身のモニタ筐体１３で隠蔽することができるから、収納時の液晶表示装置６の破損や誤操作を軽減することができる。
【００１５】
一方、この実施の形態の大きな特徴は、従来、前記本体後部７内に食い込むように重ねて配置されていたカメラ部２を本体後部７の前方に重複することなく配置した点にある。この実施の形態では、本体後部７の前部に本体前部４としての配置エリアを確保し、この本体前部４の上部に直線状の光軸Ｐを備えた複数のレンズからなるレンズブロック２ａとＣＣＤカメラ２ｂからなるカメラ部２を光軸Ｐが前後方向と成るように配置する。このような配置構造を取ると、カメラ部２の下方に大きな空間が形成されるので、この空間を利用してバッテリー部３やマイク部１１などを配置することができる。
【００１６】
具体的には、本体前部４の下方にカメラ光軸Ｐの方向に長いバッテリー部３を配置し、このバッテリー部３と前記カメラ部２との間にマイク部１１と外部接続端子部１２とヒンジ機構部１０を配置している。この配置構成によれば、ヒンジ機構部１０を中間（上下方向）に配置することができるので、ヒンジ機構１０を外側に張り出させることを軽減しつつモニタ筐体１３を中央で支持することができる。また、この構造によれば、マイク部１１を筐体１００の前部に配置して感度を向上することができる。更に、マイク部１１とヒンジ機構部１０との間に挟まれる外部接続端子部１２は、筐体１００の側面から接続する構造とすれば、使い勝手に支障をきたすことはない。なお、この実施の形態では、フラッシュ部１４をレンズブロック２ａの上部に配置しているが、その大きさからすれば全体の薄型化に支障をきたすものではない。
【００１７】
また、この実施の形態では、本体後部７の外形をデッキ部５の外形に合わせて円弧形状に形成している。この実施の形態では、記録媒体を円板（ＤＶＤ）としているので、これを収納するデッキ部５の外形も円形とすることができる。しかし、デッキ部５の外形を円形とすると矩形状を基調とする液晶表示装置６やメイン基板９との関係でデッドスペースが生まれる。
この実施の形態では、円弧形状の本体後部７の前記デッドスペースを利用して電源・モード切替操作スイッチ基板１５を配置し、モニタ筐体１３には再生系操作スイッチ基板１６を配置することで実装効率を向上した配置構成としている。
【００１８】
このように、この実施の形態では、メイン基板９と液晶表示装置６とデッキ部５とを重ねて配置した本体後部７と、カメラ部２とバッテリー部３及び外部端子部１２などを備えた本体前部４を前記本体後部７の前部に重ねることなく配置することで、本体後部７の厚さを基準に筐体１００の厚さＤを揃えて、筐体１００全体を薄くすることができる。しかも、前記配置構造によれば、筐体１００の前部を側面からみて四角形状に近いコンパクトな構造にまとめることができる。更に、この実施の形態では、筐体１００の後部を円形に形成することで、デッドスペースの少ないコンパクトな構造とすることができる。
【００１９】
次に、図２から図５を参照して、この実施の形態に係る薄型コンパクトな外観構造を備える画像記憶装置付カメラ１の外観構造を更に説明する。図２は、画像記憶装置付カメラの前方斜視図である。図３は画像記憶装置付カメラを保持した後方斜視図である。図４は、画像記憶装置付カメラのモニタ筐体を開いた状態の前方斜視図である。図５は、画像記憶装置付カメラのモニタ筐体を開いた状態の後方斜視図である。
【００２０】
先ず、図２と図３を参照して収納状態の外観を説明する。図２において、この実施の形態では、側面（メイン基板９の方向）から見て、馬蹄形の外観を備えている。即ち、筐体１００は、側面から見て、前方の上下部に角部があり、後方は大きな半円で形成された馬蹄形状であり、正面及び上面形状は薄い箱型の形状を備えている。このため、筐体１００が薄型の扁平な形状であるため薄いアタッシュケースなどに入る大きさを備えている。
【００２１】
正面には、最上部にフラッシュ部１４が配置され、その下方に円形のカメラレンズ３０（レンズブロック２ａ）が配置され、その下方には、マイク部１１に通じるパンチング状の開口部１１ａが形成され、その下方にはバッテリー部３を出し入れする開閉蓋３ａが設けられている。また、カメラレンズ３０の前面には図示しないレンズカバーが設けられており、開閉レバー２７（図３参照）の操作により、レンズカバーの開閉を行うことができる。なお、この実施形態では、レンズカバーの開閉動作と連動させて電源のオン、オフを制御するようにしてもよい。一方、液晶表示装置６を配置した筐体１００の右側面は、馬蹄形のモニタ筐体１３が筐体面に埋め込まれるように配置されている。
【００２２】
一方、図３に示すように、デッキ部５を備えた筐体１００の左側面は、前後に２分割され、後部に記録媒体を出し入れする開閉蓋１７が設けられている。また、前方の筐体面には外部接続端子部１２の端子口１２ａが配置されている。
【００２３】
図３に示すように、この実施の形態では、このデッキ部５側の筐体面をグリップ部１８として、右手で保持する。このため、この左側面にはハンドストラップ２６が設けられている。筐体１００を保持する場合は、筐体１００の上部を人差指、中指、薬指、小指で保持し、筐体１００の背面側を親指で保持するように筐体１００を右手で包み込むように保持する。
上記保持姿勢であれば、背面側に配置される動画撮影用スイッチ１９を親指で操作することができる。また、上面に配置される静止画撮影用スイッチ２０を人差指で操作することができる。
【００２４】
一般に、静止画を撮影するカメラでは、人差し指でシャッタを操作し、動画撮影を行うカメラでは親指で操作することが一般化していることから、この普通に馴れた人差指と親指の操作をそのまま取り込んで操作性を向上している。
なお、前記動画撮影用スイッチ１９は電源・モード切替ダイヤルスイッチ２１に配置されている。また、前記静止画撮影用スイッチ２０の近傍にはズームレバー２２が配置され、人差指で操作することができる。また、２３は開閉蓋１７のイジェクトスイッチである。
【００２５】
次に、図４、図５を参照して、筐体１００の構造や撮影状態について説明する。先ず、前記筐体１００は、筐体１００の骨格であり、上下面と背面を覆うメイン筐体１００ａと、右側面を覆う右側板１００ｂと、左側面を覆う左側板１００ｃと前面板１００ｄとモニタ筐体１３などから構成される。前記右側板１００ｂには凹部３３が形成され、前記モニタ筐体１３をこの凹部３３に収納することができる。この凹部３３には、カメラ撮影用のスイッチ類２４が配置されている。また、右側板１００ｂには指掛部４７設けられており、この指掛部４７に指先を引っ掛けることで、モニタ筐体１３と凹部３３との係合を外すことができるようになっている。
【００２６】
一方、前記モニタ筐体１３は外カバー１３ａと内カバー１３ｂとから構成されている。前記内カバー１３ｂには、表示画面３４と再生系操作スイッチ類２５が配置されている。
再生系操作スイッチ類２５は、円形の再生／一時停止ボタン４１と、その周囲のリング状のスキップボタン（早送り、早戻し）４２と、その周囲に点在して設けられるＮＡＶＩボタン４３、選択ボタン４４、メニューボタン４５、停止ボタン４６が設けられている。
この実施の形態では、前記モニタ筐体１３を閉じることにより、前記表示画面３５と再生系操作スイッチ類２５及びカメラ撮影用のスイッチ類２４が隠蔽され前記外カバー１３ａによって保護される。
【００２７】
この実施の形態によれば、図３で説明した保持姿勢で筐体１００を保持し、左手で前記モニタ筐体１３を開くことで撮影状態となる。この実施の形態では、カメラ部２で撮影した画像を前記液晶表示装置６でモニターしながら前記動画撮影用スイッチ１９を操作すれば動画像を記録したり停止させたりすることができ、また、静止画撮影用スイッチ２０を操作すれば静止画を撮影することができる。
一方、撮影の際の調整が必要であればカメラ撮影用のスイッチ類２４を左手で操作することができる。また再生系の操作であれば表示画面に隣接した再生系操作スイッチ類２５の操作で可能となる。
【図面の簡単な説明】
【００２８】
【図１】本発明の実施形態による画像記憶装置付カメラの部品配置図ある。
【図２】本発明の実施形態による画像記憶装置付カメラの前方斜視図である。
【図３】本発明の実施形態による画像記憶装置付カメラの後方斜視図である。
【図４】本発明の実施形態による画像記憶装置付カメラのモニタ筐体を開いた状態の前方斜視図である。
【図５】本発明の実施形態による画像記憶装置付カメラのモニタ筐体を開いた状態の後方斜視図である。
【符号の説明】
【００２９】
１…画像記憶装置付カメラ、２…カメラ部、２ａ…レンズブロック、２ｂ…ＣＣＤカメラ、３…バッテリー部、４…本体前部、５…デッキ部、６…液晶表示装置、７…本体後部、８…筐体、９…メイン基板、９ａ、９ｂ…メイン基板の広い面、１０…ヒンジ機構、１１…マイク部、１２…外部接続端子部、１３…モニタ筐体、１４…フラッシュ部、１５…電源・モード切替操作スイッチ基板、１６…再生系操作スイッチ基板、１７…開閉蓋、１８…グリップ部、１９…動画撮影用スイッチ、２０…静止画撮影用スイッチ、２１…電源・モード切替ダイヤルスイッチ、２２…ズームレバー、２３…イジェクトスイッチ、２４…カメラ撮影用のスイッチ類、２５…再生系操作スイッチ類、２６…ハンドストラップ、２７…開閉レバー、３０…カメラレンズ、３３…凹部、３４…表示画面、４１…再生／一時停止ボタン、４２…スキップボタン、４３…ＮＡＶＩボタン、４４…選択ボタン、４５…メニューボタン、４６…停止ボタン、４７…指掛部、１００…筐体、Ｄ１…本体前部の厚さ、Ｄ２…本体後部の厚さ、Ｐ…カメラ光軸。
【図１】
2006101053.tif 000003
【図２】
2006101053.tif 000004
【図３】
2006101053.tif 000005
【図４】
2006101053.tif 000006
【図５】
2006101053.tif 000007